(57)【要約】【課題】  電話帳機能による検索を行なう際に、氏名や画像データが記憶されている人物について、この人物がユーザーや他の人物とどのような関係にあるのかを容易に把握することができる電子機器を提供する。【解決手段】  記憶手段８と、表示手段４と、第１の画像データ２４の表示領域の一部を第２の画像データ３４として抽出すると共に文字情報４４を入力する操作が行なわれた場合に、この第２の画像データと文字情報を互いに関連付けて記憶手段に記憶させるよう制御し、表示手段に第１の画像データが表示されているときに、この第１の画像データの表示領域における第２の画像データに相当する部分を指定する操作が行なわれたときに、第２の画像データに対応して記憶手段に記憶された文字情報を用いて行なうことができる処理動作の名称を表示手段に表示させるよう制御する制御手段１８とを備えるようにした。【選択図】      図１
2006093863.tif 000002
【特許請求の範囲】
【請求項１】
文字情報及び画像データを記憶する記憶手段と、
文字情報及び画像データを表示することができる表示手段と、
前記記憶手段に第１の画像データが記憶され、この第１の画像データの表示領域の一部を第２の画像データとして抽出すると共にこの第２の画像データに対応する文字情報を入力する操作が行なわれた場合に、この第２の画像データとこれに対応する文字情報を互いに関連付けて記憶手段に記憶させるよう制御し、
前記表示手段に前記第１の画像データが表示されているときに、この第１の画像データの表示領域における前記第２の画像データに相当する部分を指定する操作が行なわれたときに、第２の画像データに対応して前記記憶手段に記憶された文字情報を用いて行なうことができる処理動作の名称を表示手段に表示させるよう制御する制御手段と
を備えることを特徴とする電子機器。
【請求項２】
前記文字情報は、電話番号又は電子メールアドレスのいずれかが含まれるようになっている請求項１に記載の電子機器。
【発明の詳細な説明】
【技術分野】
【０００１】
本発明は、氏名や名称、及びこれに対応する電話番号や電子メールアドレス等の文字情報と画像データを記憶しておくことができるような電話帳機能を備える携帯電話機等の電子機器に関するものである。
【背景技術】
【０００２】
従来において、予め氏名や名称、及びこれに対応する電話番号や電子メールアドレス等を記憶手段に記憶させておき、必要なときに、これらをＬＣＤ（液晶ディスプレイ）等の表示手段に順番に表示して検索することができるようになっている電話帳機能を備える携帯電話機があった。電話帳機能は、アドレス帳機能等と呼ばれることもあった。
【０００３】
このような電話帳機能を備える携帯電話機の中には、５００件程度の氏名等と、これに対応する電話番号等の組み合わせを登録することができるようになっているものがある。
【０００４】
また、このような電話帳機能において、氏名や電話番号等の文字情報だけでなく、これに対応する画像データを記憶して、電話番号等の検索を行なう際に、氏名や電話番号等の文字情報と、これに対応する画像データを一緒に表示することができるようになっている携帯電話機があった（例えば、特許文献１参照）。このような携帯電話機は、顔写真の画像データを記憶させておけば、このような顔写真の画像データを見ながら、電話番号等を検索することができる。
【特許文献１】特開２００３−１４３２８７号公報
【発明の開示】
【発明が解決しようとする課題】
【０００５】
しかしながら、前記特許文献１の携帯電話機では、その電話帳機能が、氏名等と例えば顔写真等の一つの画像データだけしか見ることができないようになっているため、電話帳機能により記憶した氏名等と画像データの組合せの件数が増大するにしたがって、例えば、氏名と顔写真の画像が登録されている一の人物とユーザー自身とが、どのような機会を通して知り合いになったのかについて、また、このような一の人物が、この携帯電話機に記憶してある他の人物と互いに知り合いであるかどうか等の関連する情報について、容易に思い出せなくなったり簡単に把握することができなくなったりするという問題があった。
【０００６】
また、前記特許文献１の携帯電話機における電話帳機能と同様の機能を備えているような、携帯電話機以外の様々な電子機器においても、前記特許文献１の携帯電話機と同様の問題があった。
【０００７】
そこで本発明は、上記問題点に鑑みて、電話帳機能による検索を行なう際に、氏名や画像データが記憶されている人物について、この人物がユーザーや他の人物とどのような関係にあるのかを、複数の撮像対象からなる画像（後述の第１の画像）に基づいて、容易に把握することができる電子機器を提供することを課題とするものである。
【課題を解決するための手段】
【０００８】
上記課題を解決するために、本発明による電子機器は、
文字情報及び画像データを記憶する記憶手段と、
文字情報及び画像データを表示することができる表示手段と、
前記記憶手段に第１の画像データが記憶され、この第１の画像データの表示領域の一部を第２の画像データとして抽出すると共にこの第２の画像データに対応する文字情報を入力する操作が行なわれた場合に、この第２の画像データとこれに対応する文字情報を互いに関連付けて記憶手段に記憶させるよう制御し、
前記表示手段に前記第１の画像データが表示されているときに、この第１の画像データの表示領域における前記第２の画像データに相当する部分を指定する操作が行なわれたときに、第２の画像データに対応して前記記憶手段に記憶された文字情報を用いて行なうことができる処理動作の名称を表示手段に表示させるよう制御する制御手段とを備えることを特徴とするものである。
【０００９】
また、本発明による電子機器は、
前記文字情報は、電話番号又は電子メールアドレスのいずれかが含まれるようになっているようになっていてもよい。
【発明の効果】
【００１０】
このような本発明の電子機器によれば、電話帳機能による検索を行なう際に、氏名や画像データが記憶されている人物について、この人物がユーザーや他の人物とどのような関係にあるのかを容易に把握することができる。
【発明を実施するための最良の形態】
【００１１】
以下、本発明に係る電子機器の実施の形態について、図面に基づいて具体的に説明する。
図１ないし図１２は、本発明の一実施の形態に係る携帯電話機２（電子機器に相当）について説明するために参照する図である。
【００１２】
図１は、本実施の形態に係る携帯電話機２の構成を示すブロック図である。携帯電話機２は、ＬＣＤ等の表示手段４、操作手段６、記憶手段８、通信手段１０、スピーカー１２、マイクロホン１４、撮像手段１６及びこれらを制御する制御手段１８を備えている。操作手段６は、上下左右方向キー６ａ、決定キー６ｂ及びテンキー６ｃを有している。
【００１３】
この携帯電話機２は、撮像手段１６により撮影した画像データや、受信した電子メールに添付されていた画像データを、記憶手段８に記憶しておくことができるようになっている。また、図示しない通信回線網に接続されたサーバ等から、通信手段１０を介してダウンロードした画像データや、図示しない外部記憶装置から読み込んだ画像データ等のように、他の様々な方法で取得した画像データについても記憶手段８に記憶することができるようになっている。
【００１４】
図２は、記憶手段８における記憶領域の一部を示す概念図である。同図の（ａ）に示すように、記憶手段８に画像データ２０が記憶されているような場合において、携帯電話機２は、後述するような処理動作により、この画像データ２０の表示領域の一部を、新たな画像データ３０として抽出することができるようになっている。
【００１５】
そして、このような新たな画像データ３０を、元の画像データ２０とは別個のものとして、記憶手段８内の異なる記憶領域に記憶することができるようになっている。図２の（ｂ）に示すように、画像データ３０は、ヘッダ３１と本体３２で構成されている。
【００１６】
また、記憶手段８には、後述するような所定の操作により、画像データ３０に対応する登録情報データ４０を記憶させることができるようになっている。このような登録情報データ４０は、画像データ３０の直後の記憶領域に記憶されるようになっている。
【００１７】
登録情報データ４０は、ヘッダ４１と本体４２で構成されている。そして、このヘッダ４１は、図２の（ｃ）に示すように、ヘッダ識別子領域４１ａ及びデータ個数領域４１ｂで構成されている。また、本体４２は、範囲情報領域４２ａ、表示文字列領域４２ｂ、発信用電番領域４２ｃ、電子メールアドレス領域４２ｄ、及び拡張領域４２ｅで構成されている。
【００１８】
登録情報データ４０の本体４２の範囲情報領域４２ａには、画像データ３０を抽出した元の画像データ２０の表示領域上における画像データ３０の表示領域の輪郭が、ｘ座標とｙ座標で定まる点の集合として記憶されるようになっている。
【００１９】
表示文字列領域４２ｂには、ユーザーが入力した文字情報が記憶されるようになっている。発信用電番領域４２ｃには、ユーザーが入力した具体的な電話番号が記憶されるようになっている。電子メールアドレス領域４２ｄには、ユーザーが入力した具体的な電子メールアドレスが記憶されるようになっている。そして、拡張領域４２ｅには、例えば住所や誕生日等のように、ユーザーが設定した任意の項目の文字情報について入力したものが記憶されるようになっている。
【００２０】
記憶手段８に記憶される画像データ２０は、そのデータ形式がＢＭＰ（Ｂｉｔ  Ｍａｐ）形式、ＰＮＧ（Ｐｏｒｔａｂｌｅ  Ｎｅｔｗｏｒｋ  Ｇｒａｐｈｉｃｓ）形式、又は他の種類の形式のいずれであってもよい。
【００２１】
そして、画像データ２０がＢＭＰ形式である場合には、画像データ３０も同様のデータ形式になるため、そのヘッダ３１に、この画像データ３０のデータサイズが記録されるようになっている。したがって、ヘッダ３１に記録されている画像データ３０のデータサイズに１を足し合わせた記憶領域を調べることにより、この画像データ３０に対応する登録情報データ４０が存在するかどうかを判断することができる。
【００２２】
すなわち、図２の（ｂ）及び（ｃ）に示すように、画像データ３０のデータサイズに１を足し合わせた記憶領域が、ヘッダ識別子領域４１ａになっていて、このヘッダ識別子領域４１ａに記憶されているヘッダ識別子が見つかれば、画像データ３０に対応する登録情報データ４０が存在することが分かる。
【００２３】
画像データ３０のデータサイズに１を足し合わせた記憶領域にヘッダ識別子領域４１ａが存在しないために、ヘッダ識別子を見つけることができず、ヘッダ識別子の代わりに「ＥＯＦ（Ｅｎｄ  Ｏｆ  Ｆｉｌｅ）」又は「０」のデータが見つかったような場合には、画像データ３０に対応する登録情報データ４０は存在しないことが分かる。
【００２４】
また、画像データ２０がＰＮＧ形式である場合には、画像データ３０も同様のデータ形式になるため、その本体３２は複数のチャンクと呼ばれるブロックで構成されて、この本体３２の末尾に必ずＩＥＮＤチャンクが存在するようになっている。
【００２５】
したがって、このＩＥＮＤチャンクが記憶されている記憶領域の次の記憶領域に、ヘッダ識別子領域４１ａが存在してヘッダ識別子が記憶されているか、或いは「ＥＯＦ」又は「０」のいずれが記憶されているかを調べることにより、この画像データ３０に対応する登録情報データ４０が存在するかどうかを判断することができる。
【００２６】
また、画像データ２０のデータ形式が、ＢＭＰ形式やＰＮＧ形式以外のデータ形式である場合には、画像データ３０はＢＭＰ形式やＰＮＧ形式と同様のデータ形式とならないが、このような場合であっても、画像データ３０がＢＭＰ形式やＰＮＧ形式と同様の形式である場合と同様の方法により、画像データ３０に対応する登録情報データ４０が存在するかどうかを判断することができる。
【００２７】
次に、図３のフローチャートに基づいて、図４に示す記憶手段８に記憶されている画像データ２４から、その一部である画像データ３４，３６，３８を抽出するための操作が行なわれた場合における制御手段１８の処理動作について説明する。
【００２８】
ここで、記憶手段８に記憶されている画像データ２４は、図２中における画像データ２０に相当するものであって、図５に示すように、複数の撮像対象、ここでは３人の人物Ａ，Ｂ，Ｃが会食している様子を写した画像データであるものとする。そして、図４に示す画像データ２４から抽出しようとする画像データ３４，３６，３８のそれぞれは、図２中における画像データ３０に相当するものであって、図５に示す人物Ａ，Ｂ，Ｃのそれぞれの外形で囲まれる表示領域内の画像データであるものとする。
【００２９】
また、図４に示す記憶手段８の記憶領域の概念図では、図２の（ｂ）及び（ｃ）に相当する部分の図は省略するものとする。
【００３０】
一定の操作により情報位置編集モードを起動した後に、記憶手段８に記憶されている画像データ２４を表示手段４に表示させるための操作が行なわれると（図３中、ステップＳ１０１）、図５に示すように、画像データ２４は、表示手段４の表示面５０を縦方向に３つに分けた表示領域５０ａ，５０ｂ，５０ｃ中における表示領域５０ｂに表示されるようになっている（図３中、ステップＳ１０２）。
【００３１】
また、図５に示すように、表示面５０上には、この表示面５０上を上下左右方向キー６ａの操作に対応して、任意の方向に移動することができるポインタ５２が表示されるようになっている。
【００３２】
このような状態において、図６に示すように、ポインタ５２を人物Ａの外形に沿って移動させて一周させると、制御手段１８の処理動作により、この人物Ａの外形で囲まれる表示領域が画像データ３４として抽出することができるようになっている（図３中、ステップＳ１０３）。そして、このような画像データ３４は、記憶手段８内で画像データ２４に関連付けて記憶されるようになっている。
【００３３】
このようなステップＳ１０３の操作、及びこの操作に対応する制御手段１８の処理動作は、ステップＳ１０４において情報位置編集モードを終了するための操作（ステップＳ１０４のＮＯ）を行なうまで、続けて行なうことができる（ステップＳ１０４のＹＥＳ）。したがって、人物Ｂ，Ｃのそれぞれの外形で囲まれる表示領域に対しても、人物Ａの外形で囲まれる表示領域を画像データ３４として抽出したのと同様に、画像データ３６，３８として抽出することができる。
【００３４】
次に、図４に示すように、画像データ３４，３６，３８のそれぞれに対応する登録情報データ４４，４６，４８を入力するための操作を図７及び図８に基づいて説明する。ここで、登録情報データ４４，４６，４８は、図２中における登録情報４０に相当するものである。
【００３５】
一定の操作により登録情報入力モードに移行した後に、図７に示すように、画像データ２４を表示手段４の表示領域５０ｂに表示した状態において、人物Ａの外形で囲まれる領域内にポインタ５２を移動して、決定キー６ｂを押下すると、図８に示すように、表示領域５０ｂ上に登録メニュー５４が表示される。
【００３６】
この登録メニュー５４内には、「テキスト登録」「電話番号登録」「メールアドレス登録」の項目が表示され、これらの中から具体的な文字情報を記憶させようとする項目をユーザーが選択するようになっている。「テキスト登録」「電話番号登録」「メールアドレス登録」の項目のそれぞれは、図４に示す登録情報データ内における不図示の表示文字列領域、発信用電番領域、又は電子メールアドレス領域に対応している（図２参照）。
【００３７】
図８に示す登録メニュー５４内の各項目には１から３の番号が順番に付されており、ユーザーは、例えば、テンキー６ｃの該当する番号を押下することにより、その項目を選択することができるようになっている。このような選択の操作後には、表示手段４の表示面５０は、図示しないエディタ画面（編集画面）に切換わり、ユーザーは、選択した項目について人物Ａの画像データ３４に対応する具体的な文字情報を入力することができるようになっている。
【００３８】
このような操作が行なわれた後に、制御手段１８は、図９のフローチャートに示すような処理動作を行なうようになっている。
【００３９】
図示しないエディタ画面において、ユーザーによる具体的な文字情報の入力が終了すると、制御手段１８は、図９のステップＳ２０１において、画像データ３４のデータ形式を判別すると共に、既に登録情報データ４４が存在するかどうかを確認するようになっている。
【００４０】
ステップＳ２０２において、画像データ３４に対応する登録情報データ４４が既に存在していたような場合には（ステップＳ２０２のＹＥＳ）、ステップＳ２０３に進む。
【００４１】
このステップＳ２０３において、ユーザーが入力した文字情報に対応して、これを記憶することとなる登録情報データ４４内の表示文字列領域、発信用電番領域、又は電子メールアドレス領域（図２参照）に、既に具体的な文字情報が記憶されていた場合には、図示しないが、上書きするかどうかを選択するようにユーザーに促す画面を表示手段４の表示面５０に表示するようになっている。
【００４２】
ユーザーが上書きを選択した場合には（図９中、ステップＳ２０３のＹＥＳ）、上書きする（ステップＳ２０４）。ユーザーが上書きを選択しなかった場合には（ステップＳ２０３のＮＯ）、ステップＳ２０４の処理動作は行なわれない。
【００４３】
また、ステップＳ２０２において、画像データ３４に対応する登録情報データ４４が未だ存在していないような場合には（ステップＳ２０２のＮＯ）、ステップＳ２０６において、図４に示すように、登録情報データ４４を新たに設定するようになっている。新たに設定された登録情報データ４４内には、画像データ３０の範囲情報領域（図２参照）が自動的に記憶されるようになっている。
【００４４】
そして、ユーザーが入力した文字情報に対応して、登録情報データ４４内の表示文字列領域、発信用電番領域、又は電子メールアドレス領域（図２参照）のいずれかが、この文字情報を記憶するようになっている。
【００４５】
人物Ａの画像データ３４に対応する、登録情報データ４４内の表示文字列領域、発信用電番領域、又は電子メールアドレス領域（図２参照）の複数の項目について、新たな文字情報を記憶させたり上書きしたりするような場合には、図７及び図８に示した操作と同様の操作を繰り返して行なうようにする。
【００４６】
また、人物Ｂ，Ｃについても、以上のような人物Ａについての操作と同様の操作を行なうことにより、図４に示すように、人物Ｂ，Ｃの画像データ３６，３８に対応する登録情報４６，４８を設定したり、この登録情報データ４６，４８内の表示文字列領域、発信用電番領域、又は電子メールアドレス領域（図２参照）に具体的な文字情報を記憶させたりすることができるようになっている。
【００４７】
次に、図１０のフローチャートに基づいて、図５に示すように、表示手段４の表示面５０に画像データ２４を表示した状態で、例えば、複数の撮像対象である人物Ａ，Ｂ，Ｃに対して、電話を掛けたり、電子メールを作成して送信したりするのに行なうことができる電話帳機能の操作、及びこのような操作が行なわれたときの制御手段１８の処理動作について説明する。
【００４８】
ここで、図４に示す人物Ａの登録情報データ４４内における発信用電番領域及び電子メールアドレス領域（図２参照）のそれぞれには、具体的な電話番号及び電子メールアドレスが記憶されているものとする。図４に示す人物Ｂの登録情報データ４６は設定されていないため、存在しないものとする。また、人物Ｃの登録情報データ４８内における発信用電番領域（図２参照）には、具体的な電話番号が記憶されていて、電子メールアドレス領域には具体的な文字情報は記憶されていないものとする。
【００４９】
一定の操作により情報表示モードにした後に、画像データ２４を表示させる操作を行なうと、図５に示すように、前記情報位置編集モードの起動後において画像データ２４が表示されたときと同様に、画像データ２４は表示領域５０ｂに表示されるようになっている。
【００５０】
このような状態において、人物Ａを指定するために、ポインタ５２を人物Ａの外形で囲まれる表示領域内に移動して決定キー６ｂを押下すると、制御手段１８は、図４に示す人物Ａの画像データ３４のデータ形式を判別すると共に（図１０中、ステップＳ３０１）、この画像データ３０に対応する登録情報４４のヘッダ（図２参照）を読み込むようになっている（図１０中、ステップＳ３０２）。
【００５１】
登録情報４４のヘッダを読み込むことができた場合には（ステップＳ３０３のＹＥＳ）、この登録情報４４の本体（図２参照）を取得するようになっている（図１０中、ステップＳ３０４）。そして、ステップＳ３０５において、発信用電番領域４２ｃ及び電子メールアドレス領域４２ｄのそれぞれに具体的な文字情報が記憶されているかどうかを、構文解析を行なうパーサ（ｐａｒｓｅｒ）のようなプログラムにより確認した後、このような具体的な文字情報を用いて行なうことができる処理動作の項目のみを、図１１に示すように、処理動作メニュー５６として表示するようになっている（図９中、ステップＳ３０６）。
【００５２】
すなわち、図４に示す登録情報４４内における発信用電番領域及び電子メールアドレス領域（図２参照）のそれぞれには、具体的な電話番号及び電子メールアドレスが記憶されているため、これらの文字情報を用いて行なうことができる「発信」及び「メール作成」の項目が、図１１に示す処理動作メニュー５６内に表示されるようになっている。
【００５３】
また、処理動作メニュー５６内の各項目には番号が付されるようになっているため、例えば、ユーザーは、テンキー６ｃの該当する番号を押下することにより、その項目の処理動作を直ちに行なわせることができるようになっている。
【００５４】
また、図５に示すように、画像データ２４が表示領域５０ｂに表示されている状態において、人物Ａを指定したのと同様の操作により、人物Ｂを指定した場合には、図１０に示すフローチャートにおいて、ステップＳ３０２までは、人物Ａを指定した場合と同様の処理動作が行なわれるが、図４に示すような人物Ｂについての登録情報データ４６は設定されていないため、処理動作メニュー５６の表示は行なわれない（図１０中、ステップＳ３０３のＮＯ）。
【００５５】
また、図５に示すように、画像データ２４が表示領域５０ｂに表示されている状態において、人物Ａを指定したのと同様の操作により、人物Ｃを指定した場合には、図１０に示すフローチャートにおいて、人物Ａを指定した場合と同様の処理動作が行なわれるが、図１２に示すように、「発信」の項目だけが処理動作メニュー５６に表示されるようになっている。
【００５６】
このような本実施の形態に係る携帯電話機２によれば、例えば、図５に示すように、画像データ２４を表示手段４の表示面５０に表示させることにより、この画像データ２４に写っている背景や、人物Ａ，Ｂ，Ｃが並んで写っていること等に基づいて、ユーザー及び人物Ａ，Ｂ，Ｃの互いの関係を容易に把握することができるため、ユーザーは、このような電話帳機能による検索を行なう際に、氏名や画像データが記憶されている人物について、この人物がユーザーや他の人物とどのような関係にあるのかを容易に把握することができる。
【００５７】
なお、本実施の形態では、人物Ａ，Ｂ，Ｃが並んで写っている画像データ２４を用いた場合を一例にして説明したが、このような画像データ２４に限定されず、様々な画像データを用いることができる。
【００５８】
また、本実施の形態では、人物Ａ，Ｂ，Ｃが並んで写っている元の画像データ２４から、人物Ａ，Ｂ，Ｃのそれぞれの外形で囲まれる表示領域を抽出し、これらを画像データ３４，３６，３８とするような場合について説明したが、人物Ａ，Ｂ，Ｃのそれぞれのからだの一部だけを抽出するようにしてもよい。例えば、人物Ａ，Ｂ，Ｃのそれぞれの顔の部分だけを抽出するようにしてもよい。また、人物以外を抽出するようにしてもよい。
【００５９】
また、本実施の形態では、本発明を携帯電話機２に適用した場合について説明したが、本発明は、文字情報と画像データの両方を記憶するようになっている電話帳機能を備える他の電子機器についても適用することができる。
【図面の簡単な説明】
【００６０】
【図１】本発明の一実施の形態に係る携帯電話機２の回路構成を示すブロック図である。
【図２】図１に示す記憶手段８の記憶領域を示す概念図である。
【図３】情報位置編集モードにおける制御手段１８の動作手順を示すフローチャートである。
【図４】図１に示す記憶手段８の記憶領域を示す概念図である。
【図５】図１に示す表示手段４の表示面５０に画像データ２４が表示されている状態を示す図である。
【図６】図１に示す表示手段４の表示面５０に表示された画像データ２４から、人物Ａの画像データ３４を抽出する操作を行なっている状態を示す図である。
【図７】図１に示す表示手段４の表示面５０に画像データ２４が表示された状態を示す図であって、人物Ａを指定する操作を行なった状態を示す図である。
【図８】図１に示す表示手段４の表示面５０に画像データ２４及び登録メニュー５４が表示された状態を示す図である。
【図９】登録情報入力モードにおける制御手段１８の動作手順を示すフローチャートである。
【図１０】情報表示モードにおける制御手段１８の動作手順を示すフローチャートである。
【図１１】図１に示す表示手段４の表示面５０に画像データ２４が表示されていると共に、人物Ａについての処理動作メニュー５６が表示された状態を示す図である。
【図１２】図１に示す表示手段４の表示面５０に画像データ２４が表示されていると共に、人物Ｃについての処理動作メニュー５６が表示された状態を示す図である。
【符号の説明】
【００６１】
２  携帯電話機
４  表示手段
６  操作手段
６ａ  上下左右方向キー
６ｂ  決定キー
６ｃ  テンキー
８  記憶手段
１０  通信手段
１２  スピーカー
１４  マイクロホン
１６  撮像手段
１８  制御手段
２０，２４，３０  画像データ
３１  ヘッダ
３２  本体
３４，３６，３８  画像データ
４０  登録情報データ
４１  ヘッダ
４１ａ  ヘッダ識別子領域
４１ｂ  データ個数領域
４２  本体
４２ａ  範囲情報領域
４２ｂ  表示文字列領域
４２ｃ  発信用電番領域
４２ｄ  電子メールアドレス領域
４２ｅ  拡張領域
４４，４６，４８  登録情報データ
５０  表示面
５０ａ，５０ｂ，５０ｃ  表示領域
５２  ポインタ
５４  登録メニュー
５６  処理動作メニュー
【図１】
2006093863.tif 000003
【図２】
2006093863.tif 000004
【図３】
2006093863.tif 000005
【図４】
2006093863.tif 000006
【図５】
2006093863.tif 000007
【図６】
2006093863.tif 000008
【図７】
2006093863.tif 000009
【図８】
2006093863.tif 000010
【図９】
2006093863.tif 000011
【図１０】
2006093863.tif 000012
【図１１】
2006093863.tif 000013
【図１２】
2006093863.tif 000014